(57)【要約】  ノードＢは、ポーリングメッセージを無線送受信ユニット（ＷＴＲＵ）に送信する。ＷＴＲＵは、ポーリングメッセージに応答してコンテンションなく上り同期バーストを送信する。ノードＢは、同期バーストに基づいて上りタイミングシフトを推定し、上りタイミング調整コマンドをＷＴＲＵに送信する。ＷＴＲＵは次に、上りタイミング調整コマンドに基づいて上りタイミングを調整する。あるいは、ノードＢは、上り同期のためのスケジューリングメッセージをＷＴＲＵに送信することができる。ＷＴＲＵは、スケジューリングメッセージに基づいて同期バーストを送信することができる。あるいは、ＷＴＲＵは、同期要求をノードＢから受信した後にコンテンションベースの上り同期を実施することができる。ＷＴＲＵは、ＷＴＲＵが新しいセルに移動したときに新しいセルへのハンドオーバを実施する代わりに、アイドル状態に入ることができる。ＷＴＲＵの間欠受信（ＤＲＸ）間隔は、ＷＴＲＵの動作に基づいて設定することができる。
2009531973.tif 000002
【特許請求の範囲】
【請求項１】
無線送受信ユニット（ＷＴＲＵ）およびノードＢを含む無線通信システムにおいて、前記ＷＴＲＵがアクティブ状態にあるときに上り同期を維持する方法であって、
前記ノードＢがポーリングメッセージを前記ＷＴＲＵに送信することと、
前記ＷＴＲＵが前記ポーリングメッセージに基づいて上り同期バーストを前記ノードＢに送信することと、
前記ノードＢが前記上り同期バーストに基づいて上りタイミングシフトを推定することと、
前記ノードＢが上りタイミング調整コマンドを前記ＷＴＲＵに送信することと、
前記ＷＴＲＵが前記上りタイミング調整コマンドに基づいて上りタイミングを調整することと、
を含むことを特徴とする方法。
【請求項２】
前記ポーリングメッセージは、前記ＷＴＲＵが前記同期バーストを送信するために特定の時間を含むことを特徴とする請求項１に記載の方法。
【請求項３】
前記ポーリングメッセージは、前記ＷＴＲＵが前記同期バーストの送信電力を推定するために上り干渉情報を含むことを特徴とする請求項１に記載の方法。
【請求項４】
前記ポーリングメッセージは、前記同期バーストのための上り送信電力情報を含むことを特徴とする請求項１に記載の方法。
【請求項５】
前記ポーリングメッセージは、前記同期バーストのための上り共有チャネルへのアクセスを許可する下り共通制御チャネルを介して伝送されることを特徴とする請求項１に記載の方法。
【請求項６】
前記ＷＴＲＵが間欠受信（ＤＲＸ）モードに入ることをさらに含むことを特徴とする請求項１に記載の方法。
【請求項７】
前記ポーリングメッセージは、多数のＷＴＲＵからの多数の同期バーストをポーリングするために多数のＷＴＲＵに対応することを特徴とする請求項１に記載の方法。
【請求項８】
ポーリングレートは、前記ＷＴＲＵの少なくとも１つに対して異なることを特徴とする請求項７に記載の方法。
【請求項９】
前記ポーリングレートは、推定されるクロックドリフトおよび各ＷＴＲＵの移動性の少なくとも１つに基づいて決定されることを特徴とする請求項８に記載の方法。
【請求項１０】
前記ポーリングレートは、前記ＷＴＲＵおよび前記ノードＢのいずれかによって状況に応じて変更されることを特徴とする請求項８に記載の方法。
【請求項１１】
前記ノードＢは、上り同期の結果に基づいて前記ポーリングレートを変更することを特徴とする請求項１０に記載の方法。
【請求項１２】
前記ポーリングメッセージは、上りチャネル割り当てを提供することを特徴とする請求項１に記載の方法。
【請求項１３】
前記上りチャネル割り当ては周期的であることを特徴とする請求項１２に記載の方法。
【請求項１４】
前記上りチャネル割り当ては、割り当てられる上りチャネルの期間を示すことを特徴とする請求項１２に記載の方法。
【請求項１５】
前記ノードＢは、ブロードキャストによって前記ポーリングメッセージに関する情報を前記ＷＴＲＵに提供することを特徴とする請求項１に記載の方法。
【請求項１６】
前記ノードＢは、登録時に前記ポーリングメッセージに関する情報を前記ＷＴＲＵに提供することを特徴とする請求項１に記載の方法。
【請求項１７】
ポーリングレートは、前記ＷＴＲＵの無線資源制御（ＲＲＣ）状態に基づいて異なるように設定されることを特徴とする請求項１に記載の方法。
【請求項１８】
ポーリングレートは、前記ＷＴＲＵの非動作が増加するに従って時間の経過と共に増加することを特徴とする請求項１に記載の方法。
【請求項１９】
前記ポーリングレートは、指数的に増加することを特徴とする請求項１８に記載の方法。
【請求項２０】
前記ＷＴＲＵが前記ポーリングメッセージの受信後に前記ノードＢに伝送されるデータの量を含むスケジューリング情報を送信することをさらに含むことを特徴とする請求項１に記載の方法。
【請求項２１】
前期ＷＴＲＵが前記ポーリングメッセージの受信後にデータ伝送のために上り資源を前記ＷＴＲＵが取得する必要があることを示すメッセージを送信することをさらに含むことを特徴とする請求項１に記載の方法。
【請求項２２】
前記ＷＴＲＵが前記ポーリングメッセージの受信後にチャネル品質情報（ＣＱＩ）を送信することをさらに含むことを特徴とする請求項１に記載の方法。
【請求項２３】
前記上り同期バーストは、ＷＴＲＵ識別情報（ＩＤ）およびセルＩＤを含まないことを特徴とする請求項１に記載の方法。
【請求項２４】
前記ノードＢは短い識別子を前記ポーリングメッセージに含み、前記ＷＴＲＵは前記短い識別子を前記上り同期バーストに含むことを特徴とする請求項１に記載の方法。
【請求項２５】
前記ポーリングメッセージは、前記ＷＴＲＵが前記同期バーストを送信するための要求を含むことを特徴とする請求項１に記載の方法。
【請求項２６】
前記ＷＴＲＵは、スロットアロハに基づくメカニズムを使用して前記上り同期バーストを送信することを特徴とする請求項２５に記載の方法。
【請求項２７】
前記ＷＴＲＵは、前記上り同期バーストをランダムアクセスチャネル（ＲＡＣＨ）を介して送信することを特徴とする請求項２６に記載の方法。
【請求項２８】
前記ノードＢが、前記上り同期バーストを送信するために、フレーム、サブフレーム、およびタイムスロットの少なくとも１つを指定することをさらに含むことを特徴とする請求項２７に記載の方法。
【請求項２９】
前記ノードＢは、前記ＷＴＲＵが前記上り同期バーストを送信することは必須か任意かを示す情報を送信することを特徴とする請求項１に記載の方法。
【請求項３０】
無線送受信ユニット（ＷＴＲＵ）およびノードＢを含む無線通信システムにおいて、前記ＷＴＲＵがアクティブ状態にあるときに上り同期を確立する方法であって、
前記ノードＢが上り同期のためのスケジューリングメッセージを前記ＷＴＲＵに送信することと、
前記ＷＴＲＵが前記スケジューリングメッセージに基づいて上り同期バーストを前記ノードＢに送信することと、
前記ノードＢが前記上り同期バーストに基づいて上りタイミングシフトを推定することと、
前期ノードＢが上りタイミング調整コマンドを前記ＷＴＲＵに送信することと、
前期ＷＴＲＵが前記上りタイミング調整コマンドに基づいて上りタイミングを調整することと、
を含むことを特徴とする方法。
【請求項３１】
前記スケジュールは、上り同期の所定の時間を示すことを特徴とする請求項３０に記載の方法。
【請求項３２】
前記スケジュールは、前記上り同期バーストを伝送するための資源を示すことを特徴とする請求項３０に記載の方法。
【請求項３３】
前記ノードＢは、前記スケジュールされた同期時間の前に前記上り同期バーストを伝送するための資源を前記ＷＴＲＵに信号で伝えることを特徴とする請求項３０に記載の方法。
【請求項３４】
前記ＷＴＲＵは、次の同期時間を現在の同期バーストに含むことを特徴とする請求項３０に記載の方法。
【請求項３５】
前記ノードＢは、前記次の同期時間を下り信号伝達チャネルを介して変更することを特徴とする請求項３４に記載の方法。
【請求項３６】
前記上り同期バーストは、ＷＴＲＵ識別情報（ＩＤ）およびセルＩＤを含まないことを特徴とする請求項３０に記載の方法。
【請求項３７】
前記ノードＢは短い識別子を前記スケジューリングメッセージに含み、前記ＷＴＲＵは前記短い識別子を前記上り同期バーストに含むことを特徴とする請求項３０に記載の方法。
【請求項３８】
前記ノードＢは、前記ＷＴＲＵが前記上り同期バーストを送信することは必須か任意かを示す情報を送信することを特徴とする請求項３０に記載の方法。
【請求項３９】
セルラー無線通信システムにおいて無線送受信ユニット（ＷＴＲＵ）のバッテリ消費を削減する方法であって、
前記ＷＴＲＵが前記ＷＴＲＵが新しいセルに移動する必要があることを判定することと、
前記ＷＴＲＵが前記新しいセルへのハンドオーバを実施する代わりにアイドル状態に入ることと、
を含むことを特徴とする方法。
【請求項４０】
セルラー無線通信システムにおいて無線送受信ユニット（ＷＴＲＵ）のバッテリ消費を削減する方法であって、
ページングメッセージを確認し、前記ＷＴＲＵに向けられたページングメッセージがない場合はアイドル状態に再び入るために、前記ＷＴＲＵがＤＲＸ間隔に従って周期的にウェイクアップするように、前記ＷＴＲＵが間欠受信（ＤＲＸ）モードに入ることと、
前記ＷＴＲＵの動作を監視することと、
前記ＷＴＲＵの非動作が増加するに従って前記ＤＲＸ間隔が増加するように、前記ＷＴＲＵの動作に基づいて前記ＤＲＸ間隔を設定することと、
を含むことを特徴とする方法。
【請求項４１】
前記ＤＲＸ間隔は、指数的に増加することを特徴とする請求項４０に記載の方法。
【請求項４２】
前記ＤＲＸ間隔をそれに応じて設定するために、前記ＷＴＲＵがバッテリによって電力を供給されているか、それとも定電圧電源によって電力を供給されているかを前記ＷＴＲＵが通知することをさらに含むことを特徴とする請求項４０に記載の方法。
【請求項４３】
前記ＤＲＸ間隔が前記ＷＴＲＵの現在のバッテリ容量に基づいて設定されるように、前記ＷＴＲＵが前記現在のバッテリ容量を通知することをさらに含むことを特徴とする請求項４０に記載の方法。
【請求項４４】
無線送受信ユニット（ＷＴＲＵ）およびノードＢを含む無線通信システムにおいて、上り同期を維持する前記ノードＢであって、
前記ＷＴＲＵに対してポーリングメッセージ、スケジューリングメッセージ、および同期要求メッセージの少なくとも１つを生成し、前記ポーリングメッセージ、前記スケジューリングメッセージ、および前記同期要求メッセージの１つに応答して前記ＷＴＲＵによって伝送された上り同期バーストに基づいて上りタイミングシフトを推定する上り同期制御部と、
上りタイミング調整コマンドを前記ＷＴＲＵに送信する送受信機と、を含み、前記ＷＴＲＵは、前記上りタイミング調整コマンドに基づいて上りタイミングを調整することを特徴とするノードＢ。
【請求項４５】
前記ポーリングメッセージ、前記スケジューリングメッセージ、および前記同期要求メッセージの少なくとも１つは、前記ＷＴＲＵが前記同期バーストを送信するために特定の時間を含むことを特徴とする請求項４４に記載のノードＢ。
【請求項４６】
前記ポーリングメッセージ、前記スケジューリングメッセージ、および前記同期要求メッセージの少なくとも１つは、前記ＷＴＲＵが前記同期バーストの送信電力を推定するために、上り干渉情報を含むことを特徴とする請求項４４に記載のノードＢ。
【請求項４７】
前記ポーリングメッセージ、前記スケジューリングメッセージ、および前記同期要求メッセージの少なくとも１つは、前記同期バーストのための上り送信電力情報を含むことを特徴とする請求項４４に記載のノードＢ。
【請求項４８】
前記ポーリングメッセージ、前記スケジューリングメッセージ、および前記同期要求メッセージの少なくとも１つは、前記同期バーストのための上り共有チャネルへのアクセスを許可する下り共通制御チャネルを介して伝送されることを特徴とする請求項４４に記載のノードＢ。
【請求項４９】
前記ポーリングメッセージ、前記スケジューリングメッセージ、および前記同期要求メッセージの少なくとも１つは、多数の同期バーストをポーリングするために多数のＷＴＲＵに対応することを特徴とする請求項４４に記載のノードＢ。
【請求項５０】
前記上り同期制御部は、前記ＷＴＲＵの少なくとも１つに対してポーリングレートを異なるように設定することを特徴とする請求項４９に記載のノードＢ。
【請求項５１】
前記上り同期制御部は、推定されるクロックドリフトおよび各ＷＴＲＵの移動性の少なくとも１つに基づいて前記ポーリングレートを決定することを特徴とする請求項５０に記載のノードＢ。
【請求項５２】
前記上り同期制御部は、状況に応じて前記ポーリングレートを変更することを特徴とする請求項５０に記載のノードＢ。
【請求項５３】
前記上り同期制御部は、上り同期の結果に基づいて前記ポーリングレートを変更することを特徴とする請求項５２に記載のノードＢ。
【請求項５４】
前記ポーリングメッセージ、前記スケジューリングメッセージ、および前記同期要求メッセージの少なくとも１つは、上りチャネル割り当てを提供することを特徴とする請求項４４に記載のノードＢ。
【請求項５５】
前記上りチャネル割り当ては周期的であることを特徴とする請求項５４に記載のノードＢ。
【請求項５６】
前記上りチャネル割り当ては、割り当てられた上りチャネルの期間を示すことを特徴とする請求項５４に記載のノードＢ。
【請求項５７】
前記ノードＢは、ブロードキャストによって前記ポーリングメッセージに関する情報を前記ＷＴＲＵに提供することを特徴とする請求項４４に記載のノードＢ。
【請求項５８】
前記ノードＢは、登録時に前記ポーリングメッセージに関する情報を前記ＷＴＲＵに提供することを特徴とする請求項４４に記載のノードＢ。
【請求項５９】
前記上り同期制御部は、前記ＷＴＲＵの各無線資源制御（ＲＲＣ）状態に対してポーリングレートを異なるように設定することを特徴とする請求項４４に記載のノードＢ。
【請求項６０】
前記上り同期制御部は、前記ＷＴＲＵの非動作が増加するに従って時間の経過と共にポーリングレートを増加することを特徴とする請求項４４に記載のノードＢ。
【請求項６１】
前記ポーリングレートは、指数的に増加することを特徴とする請求項６０に記載のノードＢ。
【請求項６２】
前記上り同期制御部は短い識別子を前記ポーリングメッセージに含み、前記ＷＴＲＵは前記短い識別子を前記上り同期バーストに含むことを特徴とする請求項４４に記載のノードＢ。
【請求項６３】
前記上り同期制御部は、前記上り同期バーストを送信するために、フレーム、サブフレーム、およびタイムスロットの少なくとも１つを指定することを特徴とする請求項４４に記載のノードＢ。
【請求項６４】
前記上り同期制御部は、前記ＷＴＲＵが前記上り同期バーストを送信することは必須か任意かを示す情報を送信することを特徴とする請求項４４に記載のノードＢ。
【請求項６５】
無線送受信ユニット（ＷＴＲＵ）およびノードＢを含む無線通信システムにおいて、上り同期を維持する前記ＷＴＲＵであって、
前記ノードＢから受信したポーリングメッセージ、スケジューリングメッセージ、および同期要求メッセージの１つに基づいて上り同期バーストを送信するための送受信機と、
前記ノードＢから受信した上りタイミング調整コマンドに基づいて上りタイミングを調整する上り同期制御部と、を含み、前記ノードＢは、前記上り同期バーストに基づいて上りタイミングシフトを推定した後に前記上りタイミング調整コマンドを生成することを特徴とするＷＴＲＵ。
【請求項６６】
前記ポーリングメッセージ、前記スケジューリングメッセージ、および前記同期要求メッセージの少なくとも１つは、前記ＷＴＲＵが前記同期バーストを送信するために特定の時間を含むことを特徴とする請求項６５に記載のＷＴＲＵ。
【請求項６７】
前記ポーリングメッセージ、前記スケジューリングメッセージ、および前記同期要求メッセージの少なくとも１つは、前記同期バーストの送信電力が前記干渉情報に基づいて制御されるように上り干渉情報を含むことを特徴とする請求項６５に記載のＷＴＲＵ。
【請求項６８】
前記ポーリングメッセージ、前記スケジューリングメッセージ、および前記同期要求メッセージの少なくとも１つは、前記同期バーストのための上り送信電力情報を含むことを特徴とする請求項６５に記載のＷＴＲＵ。
【請求項６９】
前記ＷＴＲＵは、間欠受信（ＤＲＸ）モードに入ることを特徴とする請求項６５に記載のＷＴＲＵ。
【請求項７０】
前記送受信機は、ブロードキャストを介して前記ポーリングメッセージに関する情報を受信することを特徴とする請求項６５に記載のＷＴＲＵ。
【請求項７１】
前記送受信機は、登録時に前記ポーリングメッセージに関する情報を受信することを特徴とする請求項６５に記載のＷＴＲＵ。
【請求項７２】
前記上り同期制御部は、前記ポーリングメッセージの受信後に前記ノードＢに伝送するデータの量を含むスケジューリング情報を送信することを特徴とする請求項６５に記載のＷＴＲＵ。
【請求項７３】
前記上り同期制御部は、前記ポーリングメッセージの受信後にデータ伝送のために上り資源を前記ＷＴＲＵが取得する必要があることを示すスケジューリング要求を送信することを特徴とする請求項６５に記載のＷＴＲＵ。
【請求項７４】
前記ＷＴＲＵは、前記ポーリングメッセージの受信後にチャネル品質情報（ＣＱＩ）を送信することを特徴とする請求項６５に記載のＷＴＲＵ。
【請求項７５】
前記上り同期制御部は、ＷＴＲＵ識別情報（ＩＤ）およびセルＩＤを前記上り同期バーストに含まないことを特徴とする請求項６５に記載のＷＴＲＵ。
【請求項７６】
前記上り同期制御部は、前記上り同期バーストに、前記ポーリングメッセージに含まれていた短い識別子を含むことを特徴とする請求項６５に記載のＷＴＲＵ。
【請求項７７】
前記送受信機は、スロットアロハに基づくメカニズムを使用して前記上り同期バーストを送信することを特徴とする請求項６５に記載のＷＴＲＵ。
【請求項７８】
前記送受信機は、前記上り同期バーストをランダムアクセスチャネル（ＲＡＣＨ）を介して送信することを特徴とする請求項７７に記載のＷＴＲＵ。
【請求項７９】
前記送受信機は、前記上り同期バーストを前記ノードＢによって指定されたフレーム、サブフレーム、またはタイムスロットを介して伝送することを特徴とする請求項７７に記載のＷＴＲＵ。
【請求項８０】
前記上り同期制御部は、前記上り同期バーストに次の同期時間を含むことを特徴とする請求項６５に記載のＷＴＲＵ。
【請求項８１】
セルラー無線通信システムにおいてバッテリ消費を削減する無線送受信ユニット（ＷＴＲＵ）であって、
前記ＷＴＲＵが新しいセルに移動する必要があることを判定するセル探索装置と、
前記ＷＴＲＵが前記新しいセルに移動する必要があると判定されたときに前記新しいセルへのハンドオーバを実施する代わりに、アイドル状態に入るための制御部と、を含むことを特徴とするＷＴＲＵ。
【請求項８２】
セルラー無線通信システムにおいてバッテリ消費を削減する無線送受信ユニット（ＷＴＲＵ）であって、
前記ＷＴＲＵの動作を監視するモニタと、
前記ＷＴＲＵの非動作が増加するに従ってＤＲＸ間隔が増加するように、前記ＷＴＲＵの動作に基づいてネットワークによって決定される前記ＤＲＸ間隔に従ってＤＲＸモードに入るための間欠受信（ＤＲＸ）制御部と、を含むことを特徴とするＷＴＲＵ。
【請求項８３】
前記ＤＲＸ間隔は指数的に増加することを特徴とする請求項８２に記載のＷＴＲＵ。
【請求項８４】
前記ＷＴＲＵは、前記ＷＴＲＵがバッテリによって電力を供給されているか、それとも定電圧電源によって電力を供給されているかを示す情報を前記ネットワークに提供し、前記ネットワークは前記情報に基づいて前記ＤＲＸ間隔を設定することを特徴とする請求項８２に記載のＷＴＲＵ。
【請求項８５】
前記ＷＴＲＵは、現在のバッテリ容量に基づいて前記ＤＲＸ間隔が設定されるように、前記現在のバッテリ容量について前記ネットワークに通知することを特徴とする請求項８２に記載のＷＴＲＵ。
【発明の詳細な説明】
【技術分野】
【０００１】
本発明は、無線通信システムに関する。特に、本発明は、無線送受信ユニット（ＷＴＲＵ）の上り同期を維持し、かつバッテリ電力の消費を削減する方法および装置に関する。
【背景技術】
【０００２】
従来の３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）システムでは、４レベルのＷＴＲＵ動作におおむね対応する４種類の非アイドルの無線資源制御（ＲＲＣ）状態がある。すなわち、Ｃｅｌｌ＿ＤＣＨ（個別チャネル（ＤＣＨ）セルレベル）状態、Ｃｅｌｌ＿ＦＡＣＨ（下りアクセスチャネル（ＦＡＣＨ）セルレベル）状態、Ｃｅｌｌ＿ＰＣＨ（ページングチャネル（ＰＣＨ）セルレベル）状態、およびＵＲＡ＿ＰＣＨ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（ＵＴＲＡＮ）Ｒｅｇｉｓｔｒａｔｉｏｎ  Ａｒｅａ（ＵＲＡ）ＰＣＨ）状態である。Ｃｅｌｌ＿ＤＣＨ状態では、ＷＴＲＵはデータ伝送用に個別物理チャネルを持つ。Ｃｅｌｌ＿ＦＡＣＨ状態では、個別チャネルはＷＴＲＵに割り当てられないが、信号およびユーザプレーンデータを伝達および受信するために、ＷＴＲＵはランダムアクセスチャネル（ＲＡＣＨ）およびＦＡＣＨチャネルを使用することができる。Ｃｅｌｌ＿ＦＡＣＨ状態でユーザプレーンデータを大量に送信するのは効率的でない。Ｃｅｌｌ＿ＰＣＨ状態では、間欠受信（ＤＲＸ）モードでＰＣＨのみをリッスンすることによってバッテリ消費が削減される。Ｃｅｌｌ＿ＤＣＨ状態およびＣｅｌｌ＿ＦＡＣＨ状態と同様に、Ｃｅｌｌ＿ＰＣＨ状態におけるＷＴＲＵの場所はセルレベルで認識される。Ｃｅｌｌ＿ＰＣＨ状態のＷＴＲＵは、新しいセルに移るときに、新しい位置情報を通信するために一時的にＣｅｌｌ＿ＦＡＣＨ状態に入る。ＵＲＡ＿ＰＣＨ状態はＣｅｌｌ＿ＰＣＨ状態に似ているが、ＵＲＡ＿ＰＣＨ状態ではネットワークはＷＴＲＵが新しいＵＲＡに移動するときにのみ通知される点が異なる。ＷＴＲＵがセルを変更するとき、一般的にＷＴＲＵは同じ状態を維持する。現在、Ｃｅｌｌ＿ＤＣＨ状態でのハンドオーバはネットワークによって指示されている。
【０００３】
アクティブ状態のＷＴＲＵは、ＮＡＳ（Ｎｏｎ−Ａｃｃｅｓｓ  Ｓｔｒａｔｕｍ）による接続を用いてＷＴＲＵはコアネットワークのノードと通信することができる。また、アクティブ状態のＷＴＲＵは、無線ベアラの構成（ＷＴＲＵ機能交換、暗号化など）がＷＴＲＵに対して完了するようにＡＳ（Ａｃｃｅｓｓ  Ｓｔｒａｔｕｍ）による接続を用いる。
【０００４】
アイドル状態のＷＴＲＵは、低電力アクティブ状態のＷＴＲＵより電力および資源の消費が少ない。アイドル状態のＷＴＲＵの重要な特徴の１つは、ＷＴＲＵはアクティブモードのハンドオーバに参加する必要がないことである。言い換えると、アイドル状態のＷＴＲＵがあるセルから別のセルに移動するとき、ＷＴＲＵがアイドル状態を維持していれば、ＷＴＲＵは新しいセルで無線ベアラを構成しない。
【０００５】
次世代無線通信システムの目標の１つは、「常時」接続を維持することである。しかし、バッテリ駆動のＷＴＲＵにとってはバッテリ電力の消費が問題となる。「常時」接続は望ましい機能であるが、このためにバッテリの寿命が縮まる傾向がある。
【０００６】
現在３ＧＰＰにおいて、基地局への個別チャネルがあるときには常にＷＴＲＵは上り同期を維持している。ＷＴＲＵは常に上り同期をＣｅｌｌ＿ＤＣＨ状態で維持する。また、ＷＴＲＵは、以前の個別チャネルのセットから離れた新しい個別チャネルのセットがある場合は常に上り回線を再同期させる。上り同期を（従来はＲＡＣＨ伝送を介して）維持することは、ＷＴＲＵのバッテリ電力を消費する原因の１つである。
【発明の開示】
【発明が解決しようとする課題】
【０００７】
このため、ＷＴＲＵがアクティブ状態にあるときに上り同期を効率的に維持し、かつバッテリ電力の消費を削減する仕組みを提供することが望ましい。
【課題を解決するための手段】
【０００８】
本発明は、ＷＴＲＵの上り同期を維持し、かつバッテリ電力の消費を削減する方法および装置に関する。ノードＢは、ポーリングメッセージをＷＴＲＵに送信する。ＷＴＲＵは、ポーリングメッセージに応答してコンテンションなく上り同期バーストを送信する。ノードＢは、上り同期バーストに基づいて上りタイミングシフト推定し、上りタイミング調整コマンドをＷＴＲＵにコンテンションなく送信する。ＷＴＲＵは次に、上りタイミング調整コマンドに基づいて上りタイミングを調整する。あるいは、ノードＢは、上り同期のためのスケジューリングメッセージをＷＴＲＵに送信することができる。ＷＴＲＵは、スケジューリングメッセージに基づいて上り同期バーストを送信することができる。あるいは、ＷＴＲＵは、同期要求をノードＢから受信した後にコンテンションベースの上り同期を実施することができる。ＷＴＲＵは、ＷＴＲＵが新しいセルに移動したときに新しいセルへのハンドオーバを実施する代わりに、アイドル状態に入ることができる。ＷＴＲＵのＤＲＸ間隔は、ＷＴＲＵの動作に基づいて設定することができる。
【０００９】
本発明は、例として以下に示す好ましい実施形態の説明および添付の図面によって、より詳細に理解されうるであろう。
【発明を実施するための最良の形態】
【００１０】
以下、「ＷＴＲＵ」という用語は、移動端末装置（ＵＥ）、移動局（ＳＴＡ）、固定もしくは移動可能な加入者端末、ページャ、携帯電話、携帯情報端末（ＰＤＡ）、コンピュータ、または無線環境において動作可能なあらゆる他の種類の利用者用装置を含むが、これらに限定されるものではない。以下、「ノードＢ」という用語は、基地局、サイトコントローラ、アクセスポイント（ＡＰ）、または無線環境において動作可能なあらゆる他の種類のインタフェース装置を含むが、これらに限定されるものではない。
【００１１】
本発明は、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）および３ＧＰＰリリース７以降の３ＧＰＰセルラーネットワークのＬＴＥ（Ｌｏｎｇ  Ｔｅｒｍ  Ｅｖｏｌｕｔｉｏｎ）など、任意の無線通信システムに適用することができるが、これらに限定されるものではない。
【００１２】
図１は、本発明の一実施形態によるコンテンションのない手続きを用いた上り同期を維持するプロセス１００の信号伝達図である。上り同期について、ノードＢ１５２は、ポーリングメッセージをＷＴＲＵ１５４に送信し、上り同期バーストの伝送を要求する（ステップ１０２）。ＷＴＲＵ１５４は、登録時または登録後のブロードキャストを介してポーリングメッセージを受信することができる。ポーリングメッセージは、特定の時間（システムフレーム番号または伝送時間間隔（ＴＴＩ）など）および／または上り同期バーストを送信するための資源を示すため、特定のＷＴＲＵは、他のＷＴＲＵと競合することなく上り同期バーストを送信することができる。ＷＴＲＵ１５４は、ポーリングメッセージに応答して、ポーリングメッセージに含まれているパラメータ（例えば、特定の時間、資源など）に基づいて、上り同期バーストを送信する（ステップ１０４）。ノードＢ１５２は上り同期バースト受信して、上り同期バーストに基づいて上りタイミングシフトを推定する（ステップ１０６）。ノードＢ１５２は、上りタイミング調整コマンドをＷＴＲＵ１５４に送信する（ステップ１０８）。ＷＴＲＵ１５４は次に、上りタイミング調整コマンドに基づいて上りタイミングを調整する（ステップ１１０）。
【００１３】
ポーリングメッセージは上り干渉情報を含むことができるため、ＷＴＲＵ１５４は、上り同期バーストのために上り送信電力を決定するときに、この情報を使用することができる。あるいは、ノードＢ１５２は、上り同期バーストのための上り送信電力を明示的に示すことができる。ノードＢ１５２は、ポーリングメッセージを上り同期バーストのための上り共有チャネルへのアクセスを許可する下り共通制御チャネルを介して送信することができる。
【００１４】
あるいは、余計な電力を節約するために、ＷＴＲＵ１５４はＤＲＸモードに入り、ページングまたは上り共有チャネル割り当てのために、所定の間隔でウェイクアップすることができる。ＷＴＲＵ１５４がＤＲＸモードに入ると、ノードＢ１５２はポーリングメッセージをＷＴＲＵ１５４にあまり頻繁に送信する必要がない。ネットワークは、ノードＢ１５２がポーリングメッセージをＷＴＲＵ１５４に送信する頻度に関する周期性を構成する。この周期性情報は、ブロードキャストメッセージを介してＷＴＲＵ１５４に送信することができる。このようにして、ＷＴＲＵ１５４は、ポーリングメッセージが予期されるときのみウェイクアップすることができる。ポーリングメッセージをリッスンし、必要な上り伝送を実行した後で、ＷＴＲＵ１５４はバッテリ電力を節約するためにＤＲＸモードに再び入ることができる。
【００１５】
ポーリングメッセージは複数のＷＴＲＵに対応することが可能で、それぞれの上り同期バーストを送信するためにポーリング対象である複数のＷＴＲＵのパラメータを含むことができる。ポーリングレートはＷＴＲＵごとに異なってもよい。ポーリングレートは、推定されるクロックドリフトおよび／またはＷＴＲＵの移動性に基づいて決定することができる。ポーリングレートは、ＷＴＲＵ１５４（ノードＢ１５２への要求を介する）、またはノードＢ１５２によって状況に応じて変更することができる。ポーリングレートは、ＷＴＲＵ１５４のＲＲＣ（または媒体アクセス制御（ＭＡＣ））の状態ごとに異なってもよい。ポーリングレートは、ＷＴＲＵ１５４の非動作期間が増加するに従って時間の経過と共に（例えば指数的に）増加してもよい。ノードＢ１５２は、ＷＴＲＵ１５４のポーリングレートを状況に応じて変更する際の要因の１つとして、上り同期の結果を使用することができる。ポーリングメッセージによって提供される上り同期バーストの上りチャネル割り当ては周期的でもよく、または上りチャネルの期間を任意選択で示すこともできる。
【００１６】
アクティブ状態のＷＴＲＵ１５４は既にノードＢ１５２に認識されており、ノードＢ１５２は、ＷＴＲＵ１５４に対してスケジュールされた時間によりＷＴＲＵ１５４を一意に識別できるため、ＷＴＲＵ１５４は、上り同期バーストにおいてセルＩＤまたはＷＴＲＵ  ＩＤ（例えばＣ−ＲＮＴＩ（Ｃｏｎｔｒｏｌ  Ｒａｄｉｏ  Ｎｅｔｗｏｒｋ  Ｔｅｍｐｏｒａｒｙ  Ｉｄｅｎｔｉｔｙ））を省略することができる。これによって、オーバーヘッドを削減する。
【００１７】
あるいは、ノードＢ１５２は、短い（好ましくはランダムな）識別子、タグ、またはシーケンス番号をポーリングメッセージに含むことができ、ＷＴＲＵ１５４は、同じ短い識別子、タグ、またはシーケンス番号を上り同期バーストで使用することができる。この識別子、タグ、またはシーケンス番号は他の形式の識別情報（セルＩＤまたはＣ−ＲＮＴＩなど）より小さいため、オーバーヘッドが削減される。
【００１８】
図２は、本発明の他の実施形態によるコンテンションのない手続きを用いた上り同期を維持するプロセス２００の信号伝達図である。ノードＢ２５２は、ＷＴＲＵ２５４の上り同期のためにスケジュールを生成し、上り同期のためのスケジューリングメッセージをＷＴＲＵ２５４に送信する（ステップ２０２）。スケジューリングメッセージは、複数のＷＴＲＵのためのスケジュールを含むことができる。上り同期は、スケジューリングメッセージで指定された所定の資源を使用して所定の時間に実施される。ノードＢ２５２は、スケジュールされている同期時間の前に、上り同期の資源をＷＴＲＵ２５４に信号で伝えることができる。スケジューリングメッセージは、上り干渉情報または上り送信電力情報含むことができる。上り送信電力情報は、複数のＷＴＲＵが類似の状態にある場合はＷＴＲＵのグループを対象とするものであってもよい。あるいは、上り送信電力情報は、各ＷＴＲＵを対象とするものであってもよく、または参照としてのみ使用してもよい。スケジューリングメッセージは、同期バーストのための上り共有チャネルへのアクセスを許可する下り共通制御チャネルを介して伝送することができる。
【００１９】
ＷＴＲＵ２５４は、スケジューリングメッセージに基づいて上り同期バーストを送信する（ステップ２０４）。ＷＴＲＵ２５４は、上り同期バーストにおいて任意選択で次の同期時間を示すことができる（つまり、同期バーストのペイロードは、次の同期時間を示すフィールドを含むことができる）。ノードＢ２５２は、この同期時間を推奨情報と見なすことができ、ノードＢ２５２は、下り信号伝達チャネル（例えば共有制御チャネル）を介して信号を送信することによって、スケジュールまたは推奨情報を変更することができる。またＷＴＲＵ２５４は、ＷＴＲＵ２５４において伝送待ち状態にあるデータの量を通知するスケジューリング要求を送信することができる。ＷＴＲＵ２５４は、チャネル品質情報（ＣＱＩ）などの測定結果も送信することもできる。
【００２０】
ノードＢ２５２は、上り同期バーストに基づいて上りタイミングシフトを推定する（ステップ２０６）。ノードＢ２５２は、上りタイミング調整コマンドをＷＴＲＵ２５４に送信する（ステップ２０８）。ＷＴＲＵ２５４は次に、上りタイミング調整コマンドに基づいて上りタイミングを調整する（ステップ２１０）。
【００２１】
アクティブ状態のＷＴＲＵ２５４は既にノードＢ２５２に認識されており、またノードＢ２５２は、ＷＴＲＵ２５４に対してスケジュールされた時間によりＷＴＲＵ２５４を一意に識別できるため、ＷＴＲＵ２５４は、上り同期バーストにおいてセルＩＤまたはＷＴＲＵ  ＩＤ（例えばＣ−ＲＮＴＩ）を省略することができる。これによって、オーバーヘッドを削減する。
【００２２】
あるいは、ノードＢ２５２は、短い（好ましくはランダムな）識別子、タグ、またはシーケンス番号をスケジューリングメッセージに含むことができ、ＷＴＲＵ２５４は、同じ短い識別子、タグ、またはシーケンス番号を上り同期バーストで使用することができる。この識別子、タグ、またはシーケンス番号は他の形式の識別情報（例えばセルＩＤまたはＣ−ＲＮＴＩ）より小さいため、オーバーヘッドが削減される。
【００２３】
図３は、本発明によるコンテンションベースの手続きを使用した上り同期のプロセス３００の信号伝達図である。ノードＢ３５２は、同期要求メッセージをＷＴＲＵ３５４に送信し、ＷＴＲＵ３５４がアクティブ状態にあるときにＷＴＲＵ３５４が上り同期手続きを実行することを指示または推奨する（ステップ３０２）。同期要求メッセージは、複数のＷＴＲＵに対応することができる。同期要求メッセージは、ＷＴＲＵが同期バーストを送信するために特定の時間および／または資源を含むことができる。同期要求メッセージは、上り干渉情報または上り送信電力情報を含むことができる。同期要求メッセージは、同期バーストのための上り共有チャネルへのアクセスを許可する下り共通制御チャネルを介して伝送することができる。
【００２４】
これに応じて、ＷＴＲＵ３５４は従来のコンテンションベースの手続きを上り同期に対して実施する。ＷＴＲＵ３５４は、上り伝送（例えばＲＡＣＨプリアンブル）をノードＢ３５２に（例えばＲＡＣＨを介して）、コンテンションベースのメカニズム（例えばスロットアロハメカニズム）を使用して送信する（ステップ３０４）。非同期または同期ＲＡＣＨをこの上り伝送に使用することが可能で、これはノードＢ３５２からのＲＲＣ信号または同期要求メッセージに示されている。ノードＢ３５２は上り伝送を受信して、上り伝送に基づいて上りタイミングシフトを推定する（ステップ３０６）。ノードＢ３５２は、上りタイミング調整コマンドをＷＴＲＵ３５４に送信する（ステップ３０８）。ＷＴＲＵ３５４は次に、上りタイミング調整コマンドに基づいて上りタイミングを調整する（ステップ３１０）。
【００２５】
ノードＢ３５２は、短い（好ましくはランダムな）識別子、タグ、またはシーケンス番号を上り同期要求メッセージに含むことができ、ＷＴＲＵ３５４は、同じ短い識別子、タグ、またはシーケンス番号を上り同期バーストで使用することができる。
【００２６】
ノードＢ３５２は、ＷＴＲＵ３５４がアクティブ状態にある間に上り同期手続き（またはランダムアクセス手続き）を実行する必要があるフレーム、サブフレーム、またはタイムスロットを指定することができる。指定されたフレーム、サブフレーム、またはタイムスロットは、ＷＴＲＵ３５４がアイドル状態にあるときに上り同期手続き（またはランダムアクセス手続き）を実行するために使用されるフレーム、サブフレーム、またはタイムスロットとは異なる（つまり、ＲＡＣＨタイムスロットとは異なる）。フレーム、サブフレーム、またはタイムスロットの指定は、事前の信号伝達（例えばブロードキャストメッセージ）、または事前構成を介して実行することができる。ノードＢ３５２は、アイドル状態にあるＷＴＲＵとは違い、アクティブ状態にあるＷＴＲＵに対して、異なるサービスレベルを提供することも、異なるパフォーマンス要件または目標を満たすこともできる。ＷＴＲＵ３５４がアクティブ状態にある場合、アクティブ状態のトラフィックをサポートするために、より短い間隔で維持されている上り同期が必要となる。このため、ＷＴＲＵ３５４は、アクティブ状態のトラフィックがないために間隔が短くない上り同期を必要とするアイドル状態に比べて、上り同期伝送をより頻繁に送信する必要がある可能性がある。
【００２７】
上記のすべての実施形態において、ノードＢは、ポーリングメッセージ、スケジューリングメッセージ、または同期要求メッセージにフラグを含み、ＷＴＲＵが上り同期の手続きを実行することは必須であるか任意であるかを示すことができる。ＷＴＲＵに上り同期を実行するように命令する（つまり、フラグを「必須」に設定する）ことは、ノードＢがパケットをＷＴＲＵに送信する必要があるとき（例えばＨＳＤＰＡ（Ｈｉｇｈ  Ｓｐｅｅｄ  Ｄｏｗｎｌｉｎｋ  Ｐａｃｋｅｔ  Ａｃｃｅｓｓ））に役に立つ。これは、ＷＴＲＵはＨ−ＡＲＱ（Ｈｙｂｒｉｄ  Ａｕｔｏｍａｔｉｃ  Ｒｅｐｅａｔ  Ｒｅｑｕｅｓｔ）の正のフィードバックを送信するために上り同期を実施する必要があるためである。フラグは、ポーリングメッセージ、スケジューリングメッセージ、または同期要求メッセージに含まれていることが好ましい。フラグが上り同期は任意であることを示している場合は、ＷＴＲＵは上り同期手続きを実行してもしなくてもよい。
【００２８】
図４は、本発明に基づいて構成されたノードＢ４００およびＷＴＲＵ４５０のブロック図である。ノードＢ４００は、上り同期制御部４０２および送受信機４０４を含む。ＷＴＲＵ４５０は、送受信機４５２および上り同期制御部４５４を含む。上り同期制御部４０２は、ＷＴＲＵ４５０に対してポーリングメッセージ、スケジューリングメッセージ、または同期要求メッセージを生成する。送受信機４０４は、ポーリングメッセージ、スケジューリングメッセージ、または同期要求メッセージをＷＴＲＵ４５０に伝送する。ＷＴＲＵ４５０の送受信機４５２は、ポーリングメッセージ、スケジューリングメッセージ、または同期要求メッセージを受信し、ポーリングメッセージ、スケジューリングメッセージ、または同期要求メッセージに基づいてノードＢ４００に上り同期バーストを送信する。
【００２９】
上り同期制御部４０２は、ＷＴＲＵ４５０によって伝送された上り同期バーストに基づいて上りタイミングシフトを推定し、上りタイミング調整コマンドを生成する。送受信機４０４は次に、上りタイミング調整コマンドをＷＴＲＵ４５０に送信する。ＷＴＲＵ４５０の上り同期制御部４５４は次に、上りタイミング調整コマンドに基づいて上りタイミングを調整する。
【００３０】
本発明の他の実施形態によると、ＷＴＲＵは、低電力アクティブ状態からアイドル状態に移るためのトリガとして、セルの再選択を使用することができる。ＷＴＲＵが、セルサーチおよびセルの再選択手続きを介してＷＴＲＵが新しいセルに移動する必要があると判定すると、ＷＴＲＵはハンドオーバおよび無線ベアラの再構成を実行する代わりにアイドル状態に入ることができる。これにより、ハンドオーバおよび無線ベアラの再構成に関連する制御信号伝達を回避することにより、ＷＴＲＵは電力を節約することができる。
【００３１】
本発明のさらに他の実施形態によると、ＤＲＸ間隔（つまり、受信に対するＷＴＲＵのウェイクアップ時間間隔）は、サービスレベル（つまり、ＷＴＲＵの動作）により状況に応じて構成することができる。ＤＲＸ間隔は、所定の最大値に従ってＷＴＲＵの非動作期間が増加するに従って増加する。ＤＲＸ間隔は、指数的に増加してもよい。ネットワークがＤＲＸ間隔を判定し、その結果をＷＴＲＵに信号で伝えることが好ましい。
【００３２】
あるいは、ＷＴＲＵは、ＤＲＸ間隔をそれに応じて設定するために、ＷＴＲＵが現在バッテリによって電力を供給されているか、それとも定電圧電源によって電力を供給されているかをノードＢに通知することができる。ＷＴＲＵは、現在のバッテリ残量および、バッテリの推定寿命を計算する際にノードＢの役に立つ可能性がある他の特性（データの伝送時に消費される電力など）をノードＢに通知することができる。ノードＢは次に、情報に基づいてＷＴＲＵの省電力化ポリシー（例えばＤＲＸ間隔）を設定する。
【００３３】
実施形態
１．ＷＴＲＵおよびノードＢを含む無線通信システムにおいてＷＴＲＵがアクティブ状態にあるときに上り同期を維持することを特徴とする方法。
【００３４】
２．ノードＢがポーリングメッセージをＷＴＲＵに送信することを含むことを特徴とする実施形態１に記載の方法。
【００３５】
３．ＷＴＲＵがポーリングメッセージに基づいて上り同期バーストをノードＢに送信することを含むことを特徴とする実施形態２に記載の方法。
【００３６】
４．ノードＢが上り同期バーストに基づいて上りタイミングシフトを推定することを含むことを特徴とする実施形態３に記載の方法。
【００３７】
５．ノードＢが上りタイミング調整コマンドをＷＴＲＵに送信することを含むことを特徴とする実施形態４に記載の方法。
【００３８】
６．ＷＴＲＵが上りタイミング調整コマンドに基づいて上りタイミングを調整することを含むことを特徴とする実施形態５に記載の方法。
【００３９】
７．ポーリングメッセージは、ＷＴＲＵが同期バーストを送信するために特定の時間を含むことを特徴とする実施形態２から６のいずれか一項に記載の方法。
【００４０】
８．ポーリングメッセージは、ＷＴＲＵが同期バーストの送信電力を推定するために、上り干渉情報を含むことを特徴とする実施形態２から７のいずれか一項に記載の方法。
【００４１】
９．ポーリングメッセージは、同期バーストのための上り送信電力情報を含むことを特徴とする実施形態２から８のいずれか一項に記載の方法。
【００４２】
１０．ポーリングメッセージは、同期バーストのための上り共有チャネルへのアクセスを許可する下り共通制御チャネルを介して伝送されることを特徴とする実施形態２から９のいずれか一項に記載の方法。
【００４３】
１１．ＷＴＲＵがＤＲＸモードに入ることをさらに含むことを特徴とする実施形態２から１０のいずれか一項に記載の方法。
【００４４】
１２．ポーリングメッセージは、多数のＷＴＲＵからの多数の同期バーストをポーリングするために多数のＷＴＲＵに対応することを特徴とする実施形態２から１１のいずれか一項に記載の方法。
【００４５】
１３．ポーリングレートは、ＷＴＲＵの少なくとも１つに対して異なることを特徴とする実施形態２から１２のいずれか一項に記載の方法。
【００４６】
１４．ポーリングレートは、推定されるクロックドリフトおよび各ＷＴＲＵの移動性の少なくとも１つに基づいて決定されることを特徴とする実施形態１３に記載の方法。
【００４７】
１５．ポーリングレートは、ＷＴＲＵおよびノードＢのいずれかによって状況に応じて変更されることを特徴とする実施形態１３に記載の方法。
【００４８】
１６．ノードＢは、上り同期の結果に基づいてポーリングレートを変更することを特徴とする実施形態１５に記載の方法。
【００４９】
１７．ポーリングメッセージは、上りチャネル割り当てを提供することを特徴とする実施形態２から１６のいずれか一項に記載の方法。
【００５０】
１８．上りチャネル割り当ては周期的であることを特徴とする実施形態１７に記載の方法。
【００５１】
１９．上りチャネル割り当ては、割り当てられる上りチャネルの期間を示すことを特徴とする実施形態１７に記載の方法。
【００５２】
２０．ノードＢは、ブロードキャストによってポーリングメッセージに関する情報をＷＴＲＵに提供することを特徴とする実施形態２から１９のいずれか一項に記載の方法。
【００５３】
２１．ノードＢは、登録時にポーリングメッセージに関する情報をＷＴＲＵに提供することを特徴とする実施形態２から１９のいずれか一項に記載の方法。
【００５４】
２２．ポーリングレートは、ＷＴＲＵのＲＲＣ状態に基づいて異なるように設定されることを特徴とする実施形態２から２１のいずれか一項に記載の方法。
【００５５】
２３．ポーリングレートは、時間の経過と共に増加することを特徴とする実施形態２から２２のいずれか一項に記載の方法。
【００５６】
２４．ポーリングレートは、指数的に増加することを特徴とする実施形態２３に記載の方法。
【００５７】
２５．ＷＴＲＵがポーリングメッセージの受信後にノードＢに伝送するデータの量を含むスケジューリング情報を送信することを含むことを特徴とする実施形態２から２４のいずれか一項に記載の方法。
【００５８】
２６．ＷＴＲＵがポーリングメッセージの受信後にデータ伝送のために上り資源をＷＴＲＵが取得する必要があることを示すメッセージを送信することをさらに含むことを特徴とする実施形態２から２５のいずれか一項に記載の方法。
【００５９】
２７．ＷＴＲＵがポーリングメッセージの受信後にＣＱＩを送信することをさらに含むことを特徴とする実施形態２から２６のいずれか一項に記載の方法。
【００６０】
２８．上り同期バーストは、ＷＴＲＵ  ＩＤおよびセルＩＤを含まないことを特徴とする実施形態３から２７のいずれか一項に記載の方法。
【００６１】
２９．ノードＢは短い識別子をポーリングメッセージに含み、ＷＴＲＵは短い識別子を上り同期バーストに含むことを特徴とする実施形態３から２８のいずれか一項に記載の方法。
【００６２】
３０．ポーリングメッセージは、ＷＴＲＵが同期バーストを送信するための要求を含むことを特徴とする実施形態２から２９のいずれか一項に記載の方法。
【００６３】
３１．ＷＴＲＵは、スロットアロハに基づくメカニズムを使用して上り同期バーストを送信することを特徴とする実施形態３０に記載の方法。
【００６４】
３２．ＷＴＲＵは、上り同期バーストをＲＡＣＨを介して送信することを特徴とする実施形態３０から３１のいずれか一項に記載の方法。
【００６５】
３３．ノードＢが、上り同期バーストを送信するために、フレーム、サブフレーム、およびタイムスロットの少なくとも１つを指定することをさらに含むことを特徴とする実施形態３０から３２のいずれか一項に記載の方法。
【００６６】
３４．ノードＢは、ＷＴＲＵが上り同期バーストを送信することは必須か任意かを示す情報を送信することを特徴とする実施形態２から３３のいずれか一項に記載の方法。
【００６７】
３５．ノードＢが上り同期のためのスケジューリングメッセージをＷＴＲＵに送信することを含むことを特徴とする実施形態１に記載の方法。
【００６８】
３６．ＷＴＲＵがスケジューリングメッセージに基づいて上り同期バーストをノードＢに送信することを含むことを特徴とする実施形態３５に記載の方法。
【００６９】
３７．ノードＢが上り同期バーストに基づいて上りタイミングシフトを推定することを含むことを特徴とする実施形態３６に記載の方法。
【００７０】
３８．ノードＢが上りタイミング調整コマンドをＷＴＲＵに送信することを含むことを特徴とする実施形態３７に記載の方法。
【００７１】
３９．ＷＴＲＵが上りタイミング調整コマンドに基づいて上りタイミングを調整することを含むことを特徴とする実施形態３８に記載の方法。
【００７２】
４０．スケジュールは、上り同期の所定の時間を示すことを特徴とする実施形態３５から３９のいずれか一項に記載の方法。
【００７３】
４１．スケジュールは、上り同期バーストを伝送するための資源を示すことを特徴とする実施形態３５から４０のいずれか一項に記載の方法。
【００７４】
４２．ノードＢは、スケジュールされた同期時間の前に上り同期バーストを伝送するための資源をＷＴＲＵに信号で伝えることを特徴とする実施形態３５から４１のいずれか一項に記載の方法。
【００７５】
４３．ＷＴＲＵは、次の同期時間を現在の同期バーストに含むことを特徴とする実施形態３６から４２のいずれか一項に記載の方法。
【００７６】
４４．ノードＢは、次の同期時間を下り信号伝達チャネルを介して変更することを特徴とする実施形態４３に記載の方法。
【００７７】
４５．上り同期バーストは、ＷＴＲＵ  ＩＤおよびセルＩＤを含まないことを特徴とする実施形態３６から４４のいずれか一項に記載の方法。
【００７８】
４６．ノードＢは短い識別子をスケジューリングメッセージに含み、ＷＴＲＵは短い識別子を上り同期バーストに含むことを特徴とする実施形態３６から４５のいずれか一項に記載の方法。
【００７９】
４７．ノードＢは、ＷＴＲＵが上り同期バーストを送信することは必須か任意かを示す情報を送信することを特徴とする実施形態３６から４６のいずれか一項に記載の方法。
【００８０】
４８．セルラー無線通信システムにおいてＷＴＲＵのバッテリ消費を削減することを特徴とする方法。
【００８１】
４９．ＷＴＲＵが新しいセルに移動する必要があることを判定することを含むことを特徴とする実施形態４８に記載の方法。
【００８２】
５０．ＷＴＲＵが新しいセルへのハンドオーバを実施する代わりにアイドル状態に入ることを含むことを特徴とする実施形態４９に記載の方法。
【００８３】
５１．ページングメッセージを確認し、ＷＴＲＵに向けられたページングメッセージがない場合はアイドル状態に再び入るために、ＷＴＲＵがＤＲＸ間隔に従って周期的にウェイクアップするように、ＷＴＲＵがＤＲＸモードに入ることを含むことを特徴とする実施形態４８に記載の方法。
【００８４】
５２．ＷＴＲＵの動作を監視することを含むことを特徴とする実施形態５１に記載の方法。
【００８５】
５３．ＷＴＲＵの非動作が増加するに従ってＤＲＸ間隔が増加するように、ＷＴＲＵの動作に基づいてＤＲＸ間隔を設定することを含むことを特徴とする実施形態５２に記載の方法。
【００８６】
５４．ＤＲＸ間隔は、指数的に増加することを特徴とする実施形態５３に記載の方法。
【００８７】
５５．ＤＲＸ間隔を適切に設定するために、ＷＴＲＵがバッテリによって電力を供給されているか、それとも定電圧電源によって電力を供給されているかをＷＴＲＵが通知することをさらに含むことを特徴とする実施形態５３から５４のいずれか一項に記載の方法。
【００８８】
５６．ＤＲＸ間隔が現在のバッテリ容量に基づいて設定されるように、ＷＴＲＵが現在のバッテリ容量を通知することをさらに含むことを特徴とする実施形態５３から５５のいずれか一項に記載の方法。
【００８９】
５７．ＷＴＲＵおよびノードＢを含む無線通信システムにおいて上り同期を維持することを特徴とするノードＢ。
【００９０】
５８．ＷＴＲＵに対してポーリングメッセージ、スケジューリングメッセージ、および同期要求メッセージの少なくとも１つを生成し、ポーリングメッセージ、スケジューリングメッセージ、および同期要求メッセージの１つに応答してＷＴＲＵによって伝送された上り同期バーストに基づいて上りタイミングシフトを推定する上り同期制御部を含むことを特徴とする実施形態５７に記載のノードＢ。
【００９１】
５９．上りタイミング調整コマンドをＷＴＲＵに送信するための送受信機を含み、ＷＴＲＵは、上りタイミング調整コマンドに基づいて上りタイミングを調整することを特徴とする実施形態５８に記載のノードＢ。
【００９２】
６０．ポーリングメッセージ、スケジューリングメッセージ、および同期要求メッセージの少なくとも１つは、ＷＴＲＵが同期バーストを送信するために特定の時間を含むことを特徴とする実施形態５８から５９のいずれか一項に記載のノードＢ。
【００９３】
６１．ポーリングメッセージ、スケジューリングメッセージ、および同期要求メッセージの少なくとも１つは、ＷＴＲＵが同期バーストの送信電力を推定するために、上り干渉情報を含むことを特徴とする実施形態５８から６０のいずれか一項に記載のノードＢ。
【００９４】
６２．ポーリングメッセージ、スケジューリングメッセージ、および同期要求メッセージの少なくとも１つは、同期バーストのための上り送信電力情報を含むことを特徴とする実施形態５８から６１のいずれか一項に記載のノードＢ。
【００９５】
６３．ポーリングメッセージ、スケジューリングメッセージ、および同期要求メッセージの少なくとも１つは、同期バーストのための上り共有チャネルへのアクセスを許可する下り共通制御チャネルを介して伝送されることを特徴とする実施形態５８から６２のいずれか一項に記載のノードＢ。
【００９６】
６４．ポーリングメッセージ、スケジューリングメッセージ、および同期要求メッセージの少なくとも１つは、多数の同期バーストをポーリングするために多数のＷＴＲＵに対応することを特徴とする実施形態５８から６３のいずれか一項に記載のノードＢ。
【００９７】
６５．上り同期制御部は、ＷＴＲＵの少なくとも１つに対してポーリングレートを異なるように設定することを特徴とする実施形態６４に記載のノードＢ。
【００９８】
６６．上り同期制御部は、推定されるクロックドリフトおよび各ＷＴＲＵの移動性の少なくとも１つに基づいてポーリングレートを決定することを特徴とする実施形態６５に記載のノードＢ。
【００９９】
６７．上り同期制御部は、状況に応じてポーリングレートを変更することを特徴とする実施形態６５から６６のいずれか一項に記載のノードＢ。
【０１００】
６８．上り同期制御部は、上り同期の結果に基づいてポーリングレートを変更することを特徴とする実施形態６５から６７のいずれか一項に記載のノードＢ。
【０１０１】
６９．ポーリングメッセージ、スケジューリングメッセージ、および同期要求メッセージの少なくとも１つは、上りチャネル割り当てを提供することを特徴とする実施形態５８から６８のいずれか一項に記載のノードＢ。
【０１０２】
７０．上りチャネル割り当ては周期的であることを特徴とする実施形態６９に記載のノードＢ。
【０１０３】
７１．上りチャネル割り当ては、割り当てられた上りチャネルの期間を示すことを特徴とする実施形態６９から７０のいずれか一項に記載のノードＢ。
【０１０４】
７２．ノードＢは、ブロードキャストによってポーリングメッセージに関する情報をＷＴＲＵに提供することを特徴とする実施形態５８から７１のいずれか一項に記載のノードＢ。
【０１０５】
７３．ノードＢは、登録時にポーリングメッセージに関する情報をＷＴＲＵに提供することを特徴とする実施形態５８から７１のいずれか一項に記載のノードＢ。
【０１０６】
７４．上り同期制御部は、ＷＴＲＵの各ＲＲＣ状態に対してポーリングレートを異なるように設定することを特徴とする実施形態５８から７３のいずれか一項に記載のノードＢ。
【０１０７】
７５．上り同期制御部は、ＷＴＲＵの非動作が増加するに従って時間の経過と共にポーリングレートを増加することを特徴とする実施形態５８から７４のいずれか一項に記載のノードＢ。
【０１０８】
７６．ポーリングレートは、指数的に増加することを特徴とする実施形態７５に記載のノードＢ。
【０１０９】
７７．上り同期制御部は、短い識別子をポーリングメッセージに含み、ＷＴＲＵは短い識別子を上り同期バーストに含むことを特徴とする実施形態５８から７６のいずれか一項に記載のノードＢ。
【０１１０】
７８．上り同期制御部は、上り同期バーストを送信するために、フレーム、サブフレーム、およびタイムスロットの少なくとも１つを指定することを特徴とする実施形態５８から７７のいずれか一項に記載のノードＢ。
【０１１１】
７９．上り同期制御部は、ＷＴＲＵが上り同期バーストを送信することは必須か任意かを示す情報を送信することを特徴とする実施形態５８から７８のいずれか一項に記載のノードＢ。
【０１１２】
８０．ＷＴＲＵおよびノードＢを含む無線通信システムにおいて上り同期を維持することを特徴とするＷＴＲＵ。
【０１１３】
８１．ノードＢから受信したポーリングメッセージ、スケジューリングメッセージ、および同期要求メッセージの１つに基づいて、上り同期バーストを送信する送受信機を含むことを特徴とする実施形態８０に記載のＷＴＲＵ。
【０１１４】
８２．ノードＢから受信した上りタイミング調整コマンドに基づいて上りタイミングを調整する上り同期制御部を含み、ノードＢは、上り同期バーストに基づいて上りタイミングシフトを推定した後に上りタイミング調整コマンドを生成することを特徴とする実施形態８１に記載のＷＴＲＵ。
【０１１５】
８３．ポーリングメッセージ、スケジューリングメッセージ、および同期要求メッセージの少なくとも１つは、ＷＴＲＵが同期バーストを送信するために特定の時間を含むことを特徴とする実施形態８１から８２のいずれか一項に記載のＷＴＲＵ。
【０１１６】
８４．ポーリングメッセージ、スケジューリングメッセージ、および同期要求メッセージの少なくとも１つは、同期バーストの送信電力が干渉情報に基づいて制御されるように上り干渉情報を含むことを特徴とする実施形態８１から８３のいずれか一項に記載のＷＴＲＵ。
【０１１７】
８５．ポーリングメッセージ、スケジューリングメッセージ、および同期要求メッセージの少なくとも１つは、同期バーストのための上り送信電力情報を含むことを特徴とする実施形態８１から８４のいずれか一項に記載のＷＴＲＵ。
【０１１８】
８６．ＷＴＲＵは、ＤＲＸモードに入ることを特徴とする実施形態８１から８５のいずれか一項に記載のＷＴＲＵ。
【０１１９】
８７．送受信機は、ブロードキャストを介してポーリングメッセージに関する情報を受信することを特徴とする実施形態８１から８６のいずれか一項に記載のＷＴＲＵ。
【０１２０】
８８．送受信機は、登録時にポーリングメッセージに関する情報を受信することを特徴とする実施形態８１から８６のいずれか一項に記載のＷＴＲＵ。
【０１２１】
８９．上り同期制御部は、ポーリングメッセージの受信後にノードＢに伝送するデータの量を含むスケジューリング情報を送信することを特徴とする実施形態８２から８８のいずれか一項に記載のＷＴＲＵ。
【０１２２】
９０．上り同期制御部は、ポーリングメッセージの受信後にデータ伝送のために上り資源をＷＴＲＵが取得する必要があることを示すスケジューリング要求を送信することを特徴とする実施形態８２から８９のいずれか一項に記載のＷＴＲＵ。
【０１２３】
９１．ＷＴＲＵは、ポーリングメッセージの受信後にＣＱＩを送信することを特徴とする実施形態８２から９０のいずれか一項に記載のＷＴＲＵ。
【０１２４】
９２．上り同期制御部は、ＷＴＲＵ  ＩＤおよびセルＩＤを上り同期バーストに含まないことを特徴とする実施形態８２から９１のいずれか一項に記載のＷＴＲＵ。
【０１２５】
９３．上り同期制御部は、上り同期バーストに、ポーリングメッセージに含まれていた短い識別子を含むことを特徴とする実施形態８２から９１のいずれか一項に記載のＷＴＲＵ。
【０１２６】
９４．送受信機は、スロットアロハに基づくメカニズムを使用して上り同期バーストを送信することを特徴とする実施形態８３から９３のいずれか一項に記載のＷＴＲＵ。
【０１２７】
９５．送受信機は、上り同期バーストをＲＡＣＨを介して送信することを特徴とする実施形態８３から９４のいずれか一項に記載のＷＴＲＵ。
【０１２８】
９６．送受信機は、上り同期バーストをノードＢによって指定されたフレーム、サブフレーム、またはタイムスロットを介して伝送することを特徴とする実施形態８３から９５のいずれか一項に記載のＷＴＲＵ。
【０１２９】
９７．上り同期制御部は、上り同期バーストに次の同期時間を含むことを特徴とする実施形態８３から９６のいずれか一項に記載のＷＴＲＵ。
【０１３０】
９８．セルラー無線通信システムにおいて、バッテリ消費を削減するように構成されたことを特徴とするＷＴＲＵ。
【０１３１】
９９．ＷＴＲＵは新しいセルに移動する必要があることを判定するためのセル探索装置を含むことを特徴とする実施形態９８に記載のＷＴＲＵ。
【０１３２】
１００．ＷＴＲＵが新しいセルに移動する必要があると判定されたときに新しいセルへのハンドオーバを実施する代わりに、アイドル状態に入るための制御部を含むことを特徴とする実施形態９９に記載のＷＴＲＵ。
【０１３３】
１０１．ＷＴＲＵの動作を監視するモニタを含むことを特徴とする実施形態９８に記載のＷＴＲＵ。
【０１３４】
１０２．ＷＴＲＵの非動作が増加するに従ってＤＲＸ間隔が増加するように、ＷＴＲＵの動作に基づいてネットワークによって決定されるＤＲＸ間隔に従ってＤＲＸモードに入るためのＤＲＸ制御部を含むことを特徴とする実施形態１０１に記載のＷＴＲＵ。
【０１３５】
１０３．ＤＲＸ間隔は指数的に増加することを特徴とする実施形態１０２に記載のＷＴＲＵ。
【０１３６】
１０４．ＷＴＲＵは、ＷＴＲＵがバッテリによって電力を供給されているか、定電圧電源によって電力を供給されているかを示す情報をネットワークに提供し、ネットワークはその情報に基づいてＤＲＸ間隔を設定することを特徴とする実施形態１０２から１０３のいずれか一項に記載のＷＴＲＵ。
【０１３７】
１０５．ＷＴＲＵは、現在のバッテリ容量に基づいてＤＲＸ間隔が設定されるように現在のバッテリ容量についてネットワークに通知することを特徴とする実施形態１０２から１０４のいずれか一項に記載のＷＴＲＵ。
【０１３８】
本発明の特徴および要素は好ましい実施形態において特定の組合せを用いて説明されているが、各特徴または要素は、好ましい実施形態の他の特徴および要素を用いずに単独で用いることが可能であり、または、本発明の他の特徴および要素を用いて、もしくは用いずにさまざまな組合せで用いることができる。本発明で提供される方法またはフローチャートは、汎用コンピュータまたはプロセッサによって実行するためにコンピュータで読み出し可能な記憶媒体に実際に組み込まれているコンピュータプログラム、ソフトウェア、またはファームウェアに実装することができる。コンピュータで読み出し可能な記憶媒体の例としては、読み出し専用メモリ（ＲＯＭ）、ランダムアクセスメモリ（ＲＡＭ）、レジスタ、キャッシュメモリ、半導体記憶装置、内蔵型ハードディスクおよび取り外し可能ディスクなどの磁気媒体、光磁気媒体、ＣＤ−ＲＯＭディスクなどの光学式媒体、ならびにＤＶＤなどがある。
【０１３９】
適したプロセッサの例を挙げると、汎用プロセッサ、専用プロセッサ、従来のプロセッサ、デジタル信号プロセッサ（ＤＳＰ）、複数のマイクロプロセッサ、ＤＳＰコアと共に用いる１つまたは複数のマイクロプロセッサ、コントローラ、マイクロコントローラ、特定用途向け集積回路（ＡＳＩＣ）、書き替え可能ゲートアレイ（ＦＰＧＡ）回路、任意の他のタイプの集積回路（ＩＣ）、および／または状態機械などがある。
【０１４０】
プロセッサをソフトウェアと共に使用することで、無線送受信ユニット（ＷＴＲＵ）、移動端末装置（ＵＥ）、端末、基地局、無線ネットワーク制御装置（ＲＮＣ）、または任意のホストコンピュータで使用するＲＦ送受信機（ｒａｄｉｏ  ｆｒｅｑｕｅｎｃｙ  ｔｒａｎｓｃｅｉｖｅｒ）を実装することができる。ＷＴＲＵは、カメラ、ビデオカメラモジュール、テレビ電話、スピーカホン、振動装置、スピーカ、マイクロフォン、テレビの送受信装置、ハンドフリーヘッドセット、キーボード、Ｂｌｕｅｔｏｏｔｈ（登録商標）モジュール、周波数変調（ＦＭ）無線装置、液晶表示装置（ＬＣＤ）、有機発光ダイオード（ＯＬＥＤ）表示装置、デジタル音楽プレーヤ、メディアプレーヤ、ビデオゲームプレーヤモジュール、インターネットブラウザ、および／または無線ローカルエリアネットワーク（ＷＬＡＮ）モジュールなど、ハードウェアおよび／またはソフトウェアに実装されたモジュールと共に使用することができる。
【図面の簡単な説明】
【０１４１】
【図１】本発明の一実施形態によるコンテンションのない手続きを使用して上り同期を維持するプロセスを示す信号伝達図である。
【図２】本発明の他の実施形態によるコンテンションのない手続きを使用して上り同期を維持するプロセスを示す信号伝達図である。
【図３】本発明によるコンテンションベースの手続きを使用する上り同期のプロセスを示す信号伝達図である。
【図４】本発明に基づいて構成されたノードＢおよびＷＴＲＵを示すブロック図である。
【図１】
2009531973.tif 000003
【図２】
2009531973.tif 000004
【図３】
2009531973.tif 000005
【図４】
2009531973.tif 000006
【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）がアクティブ状態にあるときに上り同期を維持する方法であって、
上り同期バーストがコンテンションなく伝送されるように、前記上り同期バーストの伝送の時間および資源を示すポーリングメッセージを受信することと、
該当時に前記ポーリングメッセージに示されている前記資源を使用して前記ポーリングメッセージに応答して上り同期バーストを送信することと、
上りタイミング調整コマンドを受信することと、
前記上りタイミング調整コマンドに基づいて上りタイミングを調整することと、
を含むことを特徴とする方法。
【請求項２】
前記ポーリングメッセージは、前記ＷＴＲＵが前記同期バーストの送信電力を推定するために上り干渉情報を含むことを特徴とする請求項１に記載の方法。
【請求項３】
前記ポーリングメッセージは、前記同期バーストのための上り送信電力情報を含むことを特徴とする請求項１に記載の方法。
【請求項４】
前記ポーリングメッセージは、前記同期バーストのための上り共有チャネルへのアクセスを許可する下り共通制御チャネルを介して伝送されることを特徴とする請求項１に記載の方法。
【請求項５】
間欠受信（ＤＲＸ）モードに入ることをさらに含むことを特徴とする請求項１に記載の方法。
【請求項６】
前記ポーリングメッセージは、多数のＷＴＲＵからの多数の同期バーストをポーリングするために多数のＷＴＲＵに対応することを特徴とする請求項１に記載の方法。
【請求項７】
ポーリングレートは、前記ＷＴＲＵの少なくとも１つに対して異なることを特徴とする請求項６に記載の方法。
【請求項８】
前記ポーリングレートは、推定されるクロックドリフトおよび各ＷＴＲＵの移動性の少なくとも１つに基づいて決定されることを特徴とする請求項７に記載の方法。
【請求項９】
前記ポーリングレートは、前記ＷＴＲＵおよび前記ノードＢのいずれかによって状況に応じて変更されることを特徴とする請求項７に記載の方法。
【請求項１０】
前記ノードＢは、上り同期の結果に基づいて前記ポーリングレートを変更することを特徴とする請求項９に記載の方法。
【請求項１１】
ポーリングレートは、前記ＷＴＲＵの無線資源制御（ＲＲＣ）状態に基づいて異なるように設定されることを特徴とする請求項１に記載の方法。
【請求項１２】
ポーリングレートは、前記ＷＴＲＵの非動作が増加するに従って時間の経過と共に増加することを特徴とする請求項１に記載の方法。
【請求項１３】
前記ポーリングメッセージの受信後に伝送されるデータの量を含むスケジューリング情報を送信することをさらに含むことを特徴とする請求項１に記載の方法。
【請求項１４】
前記ポーリングメッセージの受信後にデータ伝送のために上り資源が必要とされることを示すメッセージを送信することをさらに含むことを特徴とする請求項１に記載の方法。
【請求項１５】
前記ポーリングメッセージの受信後にチャネル品質情報（ＣＱＩ）を送信することをさらに含むことを特徴とする請求項１に記載の方法。
【請求項１６】
短い識別子は前記ポーリングメッセージに含まれ、かつ前記短い識別子は前記上り同期バーストに含まれることを特徴とする請求項１に記載の方法。
【請求項１７】
上り同期を維持するノードＢであって、
ポーリングメッセージを生成し、前記ポーリングメッセージに応答して無線送受信ユニット（ＷＴＲＵ）によって伝送される上り同期バーストに基づいて上りタイミングシフトを推定する上り同期制御部であって、前記上り同期バーストがコンテンションなく伝送されるように、前記ポーリングメッセージは前記上り同期バーストの伝送のための時間および資源を示す上り同期制御部と、
上りタイミング調整コマンドを前記ＷＴＲＵに送信する送受信機と、
を含むことを特徴とするノードＢ。
【請求項１８】
前記ポーリングメッセージは、前記ＷＴＲＵが前記同期バーストの送信電力を推定するために、上り干渉情報を含むことを特徴とする請求項１７に記載のノードＢ。
【請求項１９】
前記ポーリングメッセージは、前記同期バーストのための上り送信電力情報を含むことを特徴とする請求項１７に記載のノードＢ。
【請求項２０】
前記ポーリングメッセージは、前記同期バーストのための上り共有チャネルへのアクセスを許可する下り共通制御チャネルを介して伝送されることを特徴とする請求項１７に記載のノードＢ。
【請求項２１】
前記ポーリングメッセージは、多数の同期バーストをポーリングするために多数のＷＴＲＵに対応することを特徴とする請求項１７に記載のノードＢ。
【請求項２２】
前記上り同期制御部は、前記ＷＴＲＵの少なくとも１つに対してポーリングレートを異なるように設定することを特徴とする請求項２１に記載のノードＢ。
【請求項２３】
前記上り同期制御部は、推定されるクロックドリフトおよび各ＷＴＲＵの移動性の少なくとも１つに基づいて前記ポーリングレートを決定することを特徴とする請求項２２に記載のノードＢ。
【請求項２４】
前記上り同期制御部は、状況に応じて前記ポーリングレートを変更することを特徴とする請求項２２に記載のノードＢ。
【請求項２５】
前記上り同期制御部は、上り同期の結果に基づいて前記ポーリングレートを変更することを特徴とする請求項２４に記載のノードＢ。
【請求項２６】
前記上り同期制御部は、前記ＷＴＲＵの各無線資源制御（ＲＲＣ）状態に対してポーリングレートを異なるように設定することを特徴とする請求項１７に記載のノードＢ。
【請求項２７】
前記上り同期制御部は、前記ＷＴＲＵの非動作が増加するに従って時間の経過と共にポーリングレートを増加することを特徴とする請求項１７に記載のノードＢ。
【請求項２８】
前記ポーリングレートは、指数的に増加することを特徴とする請求項２７に記載のノードＢ。
【請求項２９】
前記上り同期制御部は短い識別子を前記ポーリングメッセージに含むことを特徴とする請求項１７に記載のノードＢ。
【請求項３０】
上り同期を維持する無線送受信ユニット（ＷＴＲＵ）であって、
ポーリングメッセージに応答して上り同期バーストを送信する送受信機であって、前記上り同期バーストがコンテンションなく伝送されるように、前記ポーリングメッセージは前記上り同期バーストの伝送のための時間および資源を示す送受信機と、
上りタイミング調整コマンドに基づいて上りタイミングを調整する上り同期制御部と、
を含むことを特徴とする無線送受信ユニット。
【請求項３１】
前記ポーリングメッセージは、前記同期バーストの送信電力が前記干渉情報に基づいて制御されるように上り干渉情報を含むことを特徴とする請求項３０に記載のＷＴＲＵ。
【請求項３２】
前記ポーリングメッセージは、前記同期バーストのための上り送信電力情報を含むことを特徴とする請求項３０に記載のＷＴＲＵ。
【請求項３３】
前記上り同期制御部は、前記ポーリングメッセージの受信後に伝送するデータの量を含むスケジューリング情報を送信することを特徴とする請求項３０に記載のＷＴＲＵ。
【請求項３４】
前記ＷＴＲＵは、前記ポーリングメッセージの受信後にチャネル品質情報（ＣＱＩ）を送信することを特徴とする請求項３０に記載のＷＴＲＵ。
【請求項３５】
前記上り同期制御部は、前記上り同期バーストに、前記ポーリングメッセージに含まれていた短い識別子を含むことを特徴とする請求項３０に記載のＷＴＲＵ。
【請求項３６】
前記上り同期制御部は、前記上り同期バーストに次の同期時間を含むことを特徴とする請求項３０に記載のＷＴＲＵ。
【国際調査報告】
2009531973.tif 000007
2009531973.tif 000008
2009531973.tif 000009